(57)【特許請求の範囲】
【請求項１】
少なくとも一つの符号化データ列を編集するディジタル信号編集装置において、
ランダムアクセス可能な蓄積媒体から上記符号化データ列を形成する複数の符号化データを読み出す読み出し手段と、
上記符号化データの再生区間に関する再生情報を記憶する記憶手段と、
上記記憶手段からの上記再生情報に応じて上記読み出し手段の読み出しを制御する制御手段と、
上記制御手段の制御により上記読み出し手段が読み出した上記符号化データを復号して編集済みの復号化データ列を出力する復号化手段と
を備え、
上記復号化手段は、第一の復号手段と、第二の復号手段と、上記復号化手段の出力を切り替えるための切り替え手段とを有し、
論理的に不連続な符号化データ同士を連結編集する際に、
上記第一の復号手段において、編集のためのデータ接続点以前の第１の符号化データ列を符号化単位毎に復号し、
上記第二の復号手段において、上記編集のための接続点より後の第２の符号化データ列の先頭の符号化データの復号に必要な全ての符号化データを、上記第１の符号化データ列の全てを復号する前に、復号し、
上記切り替え手段は、上記第一の復号手段の出力と上記第二の復号手段の出力とを所定のタイミングで選択的に切り替えて出力することを特徴とするディジタル信号編集装置。
【請求項２】
上記復号化手段は、上記第１の符号化データ列に上記不連続な第２の符号化データ列を接続した符号化データ列を新たな第１の符号化データ列として、これに不連続な新たな第２の符号化データ列を接続することを特徴とする請求項１記載のディジタル信号編集装置。
【請求項３】
上記符号化データは、符号化ビデオデータ、符号化オーディオデータ或いはこれらが多重化されたデータからなることを特徴とする請求項１記載のディジタル信号編集装置。
【請求項４】
上記蓄積媒体は、上記再生情報を記憶することを特徴とする請求項１記載のディジタル信号編集装置。
【請求項５】
上記符号化データに対する上記再生情報を複数用意することを特徴とする請求項１記載のディジタル信号編集装置。
【請求項６】
上記復号化手段が復号化して出力した編集済みの復号化データ列を再度符号化して上記蓄積媒体上に書き込むことを特徴とする請求項１記載のディジタル信号編集装置。
【請求項７】
上記符号化データは、予測符号化データであることを特徴とする請求項１記載のディジタル信号編集装置。
【請求項８】
上記符号化データは、ＭＰＥＧ方式のＩピクチャ、Ｐピクチャ、Ｂピクチャであることを特徴とする請求項１記載のディジタル信号編集装置。
【請求項９】
少なくとも一つの符号化データ列を編集するディジタル信号編集方法において、
ランダムアクセス可能な蓄積媒体から上記符号化データ列を形成する複数の符号化データを、上記符号化データの再生区間に関する再生情報に応じて読み出す読み出し工程と、
上記読み出し工程が読み出した、編集のためのデータ接続点以前の第１の符号化データ列に、論理的に不連続な第２の符号化データ列を接続するとき、上記第１の符号化データ列を復号する第一の復号工程と、
第２の符号化データ列の先頭の符号化データの復号に必要な全ての符号化データを、上記第１の符号化データ列の全てを復号する前に復号する第二の復号工程と、
上記第一の復号工程の復号出力と上記第二の復号工程の復号出力とを所定のタイミングで選択的に切り替えて出力する切り替え工程とを備え、
上記切り替え工程は復号タイミングを合わせることにより、上記読み出し工程が読み出した符号化データを時間的に連続するように復号して編集済みの復号化データ列とすることを特徴とするディジタル信号編集方法。
【請求項１０】
上記切り替え工程は、上記第１の符号化データ列に上記不連続な第２の符号化データ列を接続した符号化データ列を新たな第１の符号化データ列として、これに不連続な新たな第２の符号化データ列を接続することにより上記編集済みの復号化データ列を得ることを特徴とする請求項９記載のディジタル信号編集装置。
【請求項１１】
上記符号化データは、符号化ビデオデータ、符号化オーディオデータ或いはこれらが多重化されたデータからなることを特徴とする請求項９記載のディジタル信号編集方法。
【請求項１２】
上記蓄積媒体は、上記再生情報を記憶することを特徴とする請求項９記載のディジタル信号編集方法。
【請求項１３】
上記符号化データに対する上記再生情報を複数用意することを特徴とする請求項９記載のディジタル信号編集方法。
【請求項１４】
上記編集済みの復号化データ列を再度符号化して上記蓄積媒体上に書き込むことを特徴とする請求項９記載のディジタル信号編集方法。
【請求項１５】
上記符号化データは、予測符号化データであることを特徴とする請求項９記載のディジタル信号編集方法。
【請求項１６】
上記符号化データは、ＭＰＥＧ方式のＩピクチャ、Ｐピクチャ、Ｂピクチャであることを特徴とする請求項９記載のディジタル信号編集方法。
【発明の詳細な説明】
【０００１】
【発明の属する技術分野】
本発明は、例えば光磁気ディスクなどのランダムアクセス可能な蓄積媒体に記録された動画像信号及び音響信号等を編集してディスプレイなどに表示するときに好適なディジタル信号編集装置及び方法に関する。
【０００２】
【従来の技術】
図９には、ランダムアクセスが可能な例えば光ディスクのような蓄積媒体に記録された少なくとも一つの符号化データ列を編集する従来のディジタル信号編集システムの構成を表す。
【０００３】
蓄積媒体３１に記録された上記符号化データ列を形成する符号化データは、制御装置３３によって再生タイミングが制御される再生装置３２によって再生された後、表示装置３４に表示される。そして、表示装置３４に表示された状態で、編集者により編集点が決定される。
【０００４】
制御装置３３は、編集点まで蓄積媒体３１の読み取り位置を移動させた後、再生装置３２に信号の再生を開始させる。制御装置３３は記録装置３５の記録タイミングも制御している。再生装置３２で信号を再生開始すると同時に、記録装置３５内の別の記録媒体３６に信号を記録する。
【０００５】
このとき再生装置３２と記録装置３５は同期して動作することが必要であるが、この同期は制御装置３３からの信号によって制御される。なお再生装置３２から記録装置３５に送られる信号は、符号化されたままか、あるいはこれが復号されたものである。復号された信号が再生装置３２から記録装置３５に伝送されるときには、再生装置３２は蓄積媒体３１に記録された符号化データを復号器によって復号して送りだし、記録装置３５はこの復号された信号を受け取って符号化し蓄積媒体３６に記録する。
【０００６】
図１０には、ノンリニア編集を行う従来のディジタル信号編集システムの構成を示す。磁気テープのような大記憶容量の蓄積記録媒体４０に記録されたデータは記録再生装置４１で再生され、編集装置４２に接続された例えばハードディスクドライブ（ＨＤＤ）のようなランダムアクセス可能な記憶装置４３に全て読み出される。この記憶装置４３は、編集装置４２に内蔵されていてもよい。ここで読み出されるデータは、編集システムの構成によって符号化データか或いは映像・音声信号等の原信号である。
【０００７】
編集者は、表示装置４４で映像・音声信号を確認しつつ、編集装置４２により、記憶装置４３のデータを編集し、再び記録再生装置４１を用いて蓄積媒体４０に記録する。この編集装置４２としてパーソナルコンピュータやワークステーションが用いられることもあり、この場合、記憶装置４３は、計算機に接続された（或いは計算機内の）ＨＤＤやＲＡＭでもよい。
【０００８】
ランダムアクセス性を備える記憶装置４３にデータを読み込むことにより編集性を高めることは可能だが、データを蓄積媒体４０から一旦上記記憶装置４３に読み込み、編集後にまた上記蓄積媒体４０に書き戻すという操作が必要であり、上記図９に示した例と同様に、再生処理と記録処理を必要とする。
【０００９】
上記図９及び図１０に示した編集システムによる代表的な編集操作を図１１を用いて説明する。図１１の（ａ）は編集前のデータの一部分Ｄ1を削除して、削除された部分の前後のデータ部分Ｄ0とＤ2を接続するものである。この編集操作をスキップ編集とする。
【００１０】
図１１の（ｂ）は編集前のデータをある点ＰAで分割し、データ部分Ｄ0とＤ1の間に別のデータ部分Ｄ2を挿入するものである。以降この編集操作をインサート編集とする。
【００１１】
図１１の（ｃ）は編集前のデータの一部分Ｄ1を、別のデータＤ3で置き換える操作を表す。以降これを差し換え編集とする。
【００１２】
ところで、映像信号や音声信号などを、光ディスクや磁気テープなどの記録媒体に記録し、それらを再生してディスプレイなどに表示等するようなシステムの場合、或いは、送信側から映像及び音声の信号を所定の伝送路を介して送信し、受信側にて表示等するような例えばテレビ会議システムやテレビ電話のようなシステムの場合において、最近は、これら映像及び音声の信号をＡ／Ｄ変換した後、いわゆるＭＰＥＧ（Moving Picture Experts Group）方式で符号化することで情報量を圧縮することが多くなりつつある。
【００１３】
ここで、上記ＭＰＥＧとは、ISO/IEC JTC1/SC29(International Organization for Standardization/International Electrotechnical Commission, Joint Technical Commitee 1/Sub Commitee 29:国際標準化機構／国際電機標準会議 合同技術委員会１／専門部会 ２９）の蓄積用動画像符号化の検討組織の略称であり、ＭＰＥＧ１標準としてISO11172が、ＭＰＥＧ２標準としてISO13818がある。これらの国際標準において、システム多重化の項目でISO11172-1及びISO13818-1が、映像符号化の項目でISO11172-2及びISO13818-2が、音声符号化の項目でISO11172-3及びISO13818-3が、それぞれ標準化されている。
【００１４】
このＭＰＥＧでは、映像を効率良く符号化するためとランダムアクセスを実現するために、Ｉピクチャ、Ｂピクチャ、Ｐピクチャという３種類の符号化のタイプを用意している。ここでピクチャとは、動画像を構成する画面（フレーム或いはフィールドの画面）を符号化したものある。
【００１５】
Ｉピクチャとは、上記画面内で符号化が完結しているもので、他画面とは独立して符号化される。このためランダムアクセスやエラーを回復するためのエントリーポイントとして使われる。ただしＩピクチャの頻度が高くなると符号化の効率は低下する。
【００１６】
Ｐピクチャは、前方向の予測符号化を行うモードで、時間的に過去のＩピクチャあるいはＰピクチャから予測される。従ってＰピクチャを復号するためには時間的に過去のＩピクチャ又はＰピクチャが復号されていなければならない。Ｐピクチャを用いることにより、Ｉピクチャのみで符号化する場合よりも符号化の効率は高くなる。
【００１７】
Ｐピクチャを発展させたものであるＢピクチャは、両方向の予測符号化を行うモードで、時間的に過去と未来のＩピクチャあるいはＰピクチャから、前方向、後方向、あるいは両方向に予測が行われる。このためＢピクチャを復号するためには、前後のＩピクチャ又はＰピクチャが復号されている必要がある。このＢピクチャの導入により符号化効率は著しく改善される。
【００１８】
一般的に、通常のアプリケーションにおいては、ランダムアクセスと高い符号化効率を実現するために、上記のＩ、Ｂ、Ｐピクチャの組合せが用いられるのが普通である。
【００１９】
図１２の（ａ）にはこのような組合せの例を挙げている。この図１２の（ａ）は、上記画面（ピクチャ）を表示順序に並べたものであり、この図１２の（ａ）の図中矢印は、予測の方向を表している。ここで、例えばＢピクチャを復号して表示するためには、そのＢピクチャの前後（時間的な前後）に表示されるＩピクチャ或いはＰピクチャを復号しておかなければならない（当該Ｂピクチャの復号を行う前に復号する必要がある）。
【００２０】
より具体的に説明すると、上述の図１２の（ａ）のような表示順を実現する場合において、例えばピクチャＢ５の画像を復号するためには、少なくともＩ０，Ｐ２，Ｐ４，Ｐ６の各ピクチャが復号されていることが必要である。すなわち、Ｐ２のピクチャはＩ０のピクチャから予測され、Ｐ４のピクチャはＰ２のピクチャから予測され、Ｐ６のピクチャはＰ４のピクチャから予測されるものであり、さらにＢ５のピクチャはＰ４のピクチャとＰ６のピクチャから予測されるものであるため、当該Ｂ５のピクチャを復号するためにはこれらＩ０，Ｐ２，Ｐ４，Ｐ６の各ピクチャが、先に復号されている必要がある。
【００２１】
このため、図１２の（ｂ）に示すように、各ピクチャは、符号化ストリーム上ではＩ０，Ｐ２，Ｂ１，Ｐ４，Ｂ３，・・・という順序に並べ換えられている。言い換えれば、記録媒体上には、この図１２の（ｂ）に示すようなピクチャの符号化ストリームが記録されており、したがって、当該記録媒体を再生して映像をディスプレイ装置に表示する場合には、この図１２の（ｂ）の順番で記録媒体から再生された符号化ストリームから各ピクチャを復号し、図１２の（ａ）の順序に並べ換えて表示することが行われる。
【００２２】
最近、規格化と製品化が行われているいわゆるビデオＣＤやＤＶＤ（ディジタル・ビデオ・ディスク）では、上述のような構造を持つＭＰＥＧ方式によって映像が符号化され、音声はＭＰＥＧあるいはＡＣ−３（ATSC  standard  Doc.A/52，20  Dec.1995）によって符号化されて、これらのデータがＭＰＥＧシステムの規格により時分割多重されて、ディスク上に記録されている。
【００２３】
【発明が解決しようとする課題】
ところで、上記図９で示したような従来の編集システムを用いて、映像・音声、あるいはこれらが多重された信号を編集する場合には、原信号を再生する再生装置と、編集後の信号を記録する記録装置が各々必要になり、システムの大型化を招いてしまう。
【００２４】
例えば、上記ＭＰＥＧ方式で符号化された映像信号が記録されている蓄積媒体を使った編集を考えと、ＭＰＥＧでは、符号化効率を良くするために、通常、予測符号化のモードを含む符号化方法（ＢピクチャＰピクチャを含む）で符号化されることが多いので、フレーム精度で編集を行うときには、まず符号化データを読み出して一旦復号し、得られた映像信号を編集してから、再度符号化して蓄積媒体に記録することが必要になり、かなりの大型化を招いてしまう。また、符号化された原信号が記録された蓄積媒体と、編集後のデータを記録するための蓄積媒体と、計２つの蓄積媒体が必要になる。
【００２５】
さらに、このような従来の編集システムでは、編集した信号を他の蓄積媒体に記録し直すため、編集時において編集される映像の長さ程度の時間がかかってしまう。
【００２６】
また上記図１０に示した編集システムにおいて行われるような従来のノンリニア編集においても、編集前のデータが記録されている蓄積媒体から、編集装置内の記憶装置にデータを転送し編集して、編集後また蓄積媒体に書き戻すという操作を行うので、転送のための時間とこのデータを保持しておくのに必要な大容量の記憶装置が必要になってしまう。
【００２７】
そこで、本発明は、上記実情に鑑みてなされたものであり、編集した後の編集データを記録し直すことを不要とし、システムの小型化を実現し、かつ編集時間を短縮できるディジタル信号編集装置及び方法の提供を目的とする。
【００２８】
【課題を解決するための手段】
本発明に係るディジタル信号編集装置は、上記課題を解決するために、ランダムアクセス可能な蓄積媒体から上記符号化データ列を形成する複数の符号化データを読み出す読み出し手段と、上記符号化データの再生区間に関する再生情報を記憶する記憶手段と、上記記憶手段からの上記再生情報に応じて上記読み出し手段の読み出しを制御する制御手段と、
上記制御手段の制御により上記読み出し手段が読み出した上記符号化データを復号して編集済みの復号化データ列を出力する復号化手段とを備え、上記復号化手段は、第一の復号手段と、第二の復号手段と、上記復号化手段の出力を切り替えるための切り替え手段とを有し、論理的に不連続な符号化データ同士を連結編集する際に、上記第一の復号手段において、編集のためのデータ接続点以前の第１の符号化データ列を符号化単位毎に復号し、
上記第二の復号手段において、上記編集のための接続点より後の第２の符号化データ列の先頭の符号化データの復号に必要な全ての符号化データを、上記第１の符号化データ列の全てを復号する前に、復号し、上記切り替え手段は、上記第一の復号手段の出力と上記第二の復号手段の出力とを所定のタイミングで選択的に切り替えて出力する。
【００２９】
また、本発明に係るディジタル信号編集方法は、上記課題を解決するために、ランダムアクセス可能な蓄積媒体から上記符号化データ列を形成する複数の符号化データを、上記符号化データの再生区間に関する再生情報に応じて読み出す読み出し工程と、上記読み出し工程が読み出した、編集のためのデータ接続点以前の第１の符号化データ列に、論理的に不連続な第２の符号化データ列を接続するとき、上記第１の符号化データ列を復号する第一の復号工程と、第２の符号化データ列の先頭の符号化データの復号に必要な全ての符号化データを、上記第１の符号化データ列の全てを復号する前に復号する第二の復号工程と、上記第一の復号工程の復号出力と上記第二の復号工程の復号出力とを所定のタイミングで選択的に切り替えて出力する切り替え工程とを備え、上記切り替え工程は復号タイミングを合わせることにより、上記読み出し工程が読み出した符号化データを時間的に連続するように復号して編集済みの復号化データ列とする。
【００３０】
【発明の実施の形態】
本発明に係るディジタル信号編集装置及び方法の実施の形態について、図面を参照しながら説明する。
【００３１】
この実施の形態は、ランダムアクセス可能な蓄積媒体から少なくとも一つの符号化データ列を形成する複数の符号化データを読み出し、この符号化データを使って上記符号化データ列を編集して復号するディジタル信号編集装置である。
【００３２】
上記符号化データとしては、ＭＰＥＧ方式で使われるＩピクチャ、Ｂピクチャ、Ｐピクチャという３つの符号化タイプを用いる。以下、上記実施の形態を具体的に３つの実施例に分けて説明する。
【００３３】
先ず、第１実施例となるディジタル信号編集装置は、図１に示すように、ランダムアクセス可能な例えば光ディスクのような蓄積媒体１から上記Ｉピクチャ、Ｂピクチャ、Ｐピクチャという上記符号化データとこの符号化データの再生区間に関する再生情報を読み出す読み出し装置２と、この読み出し装置２が上記蓄積媒体１から読み出した上記再生情報を記憶する記憶装置３と、この記憶装置３からの上記再生情報に応じて上記読み出し装置２の読み出しを制御する制御装置４と、この制御装置４の制御により読み出し装置２が読み出した上記符号化データを時間的に連続するように復号して編集済みの復号化データ列を出力する復号装置５とを備えてなる。
【００３４】
蓄積媒体１には、上記Ｉピクチャ、Ｂピクチャ、Ｐピクチャよりなる符号化データ列と、この符号化データ列を形成する符号化データの再生区間に関する再生情報が記録されている。ここで、上記再生情報は、例えば光ディスクのＴＯＣ（Table of contents）エリアにＴＯＣ情報として書き込まれている。
【００３５】
この再生区間に関する再生情報は、再生開始点の情報と、再生終了点あるいは再生区間の長さなどの情報から成り立っている。例えばＴＯＣエリアにこの再生情報が複数存在するときは、それぞれの再生区間に対応する符号化データが順に復号されて、表示装置６に表示される。
【００３６】
制御装置４は、符号化データ編集時には、上記再生情報を記憶している記憶装置３にアクセスし、この再生情報を変更して、読み出し装置２の読み出しを制御して蓄積媒体１から符号化データを読み出す。そして、復号装置５は、上記読み出しデータを、時間的に連続するように復号して、編集済み復号化データ列として出力する。
【００３７】
ここで、上記ＭＰＥＧ方式のような予測符号化が用いられている場合は、ある時刻の画像を復号するために、その画像より前の時刻の画像が復号されていなければならない。例えば、図１２の例だと、ピクチャＢ５の画像を復号するためには、Ｉ０，Ｐ２，Ｐ４，Ｐ６が少なくとも復号されていることが必要である。
【００３８】
いま図２のように、Ｓａ点のピクチャＰまで再生した後、ＴＯＣ情報に従いＳｂ点のピクチャＢ３から再生することを考える。通常の復号装置では、ピクチャＢ３を復号するためにはピクチャＢ３の参照画像となるピクチャＩ０，Ｐ２，Ｐ４を復号する必要があるので、これらの各ピクチャＩ０，Ｐ２，Ｐ４を復号する間表示が不連続になってしまう。
【００３９】
そこで、本出願人は、このように予測符号化により符号化されたデータの一部分を任意の点においてつなげたときに、復号された信号が時間的に連続再生可能となる技術を、特願平８−３３５６６８号の明細書及び図面にて提案している。
【００４０】
この技術を用いた復号装置によれば、論理的に不連続な符号化データの部分部分を連結して、時間的に連続に再生されるように復号することが可能になる。
【００４１】
上記図１に示したディジタル信号編集装置における復号装置５もこのような技術を備える。例えば、スキップ編集をする場合の上記復号装置５の具体例を図３に示す。この復号装置５の具体例は、二つの独立する復号系１１，１２を有する。
【００４２】
復号系１１は、蓄積媒体１上で行われるランダムアクセスによる編集のためのデータ接続点以前の第１の符号化データ列を、符号化単位毎に復号する。
【００４３】
復号系１２は、上記編集のためのデータ接続点より後の第２の符号化データ列の先頭の符号化データの復号に必要な全ての符号かデータを、上記復号系１１が上記第１の符号化データ列の全てを復号する前に符号化単位毎に復号する。
【００４４】
この図３において、符号化データの読み出し装置２が読み出した上記蓄積媒体１の符号化データは、トラックバッファ１０に格納される。読み出し装置２は、蓄積媒体１に対してランダムアクセス可能であり、例えばスキップ編集を行うときには、スキップ前後の符号化データを順次トラックバッファ１０に読み込むのが可能である。ただし、この例のようにＭＰＥＧ方式で符号化されている（すなわち画像間の差分が符号化されている）場合には、跳び先（スキップ先）のピクチャをデコードするのに必要なピクチャの符号化データを全て読み込む。上述した図２の例でいうと、スキップした後のピクチャＢ３をデコードするのに最小限必要な、ピクチャＩ０，Ｐ２，Ｐ４の符号化データが上記トラックバッファ１０に読み込まれる。
【００４５】
このトラックバッファ１０から読み出された上記符号化データは、上記第１の復号系及び第２の復号系１４に送られる。
【００４６】
上記第１の復号系１１は、復号バッファ１２と復号器１３とを備え、また上記第２の復号系１４も同じく復号バッファ１５と復号器１６とを備えている。復号バッファ１２及び１５は、それぞれ後段に設けられた復号器１３及び１６が符号化データを復号する間、上記トラックバッファ１０から読み出された符号化データを保持する機能を持つ。なお、上記トラックバッファ１０から上記第１の復号系１１及び第２の復号系１４の復号器１３及び１６へのデータの読み出しは、必要であれば同時に行われる。上記復号器１３及び１６は、対応する復号バッファ１２，１５から供給された符号化データを、それぞれ独立に復号する。
【００４７】
上記第１の復号系１１から出力された復号データは、切り替え器１７の被切替端子Ｓ１に送られ、上記第２の復号系１４から出力された復号データは、切替器１７の被切替端子Ｓ２に送られる。
【００４８】
この切替器１７は、上記第１の復号系１１，第２の復号系１４からそれぞれ供給された復号データを、後述する所定のタイミングで選択的に切り替えて表示装置６に出力する。従って、表示装置６上の表示は、上記第１の復号系１１からの復号データに基づく表示と、上記第２の復号系１４からの復号データに基づく表示とが、上記所定のタイミングで選択的に切り替えられたものとなる。
【００４９】
ここで、読み出し装置２が蓄積媒体１から時間的に連続するように読み出した符号化データを、復号装置５で再生し、復号してそのまま通常通りに表示させるときは、上記第１の復号系１１或いは第２の復号系１４のいずれか一方のみにて復号された復号データを表示装置６に供給する。
【００５０】
一方、スキップ編集により時間的に連続しない符号化データを復号するときには、以下のように動作する。
【００５１】
最初に、スキップ点（スキップ開始点）より前の第１の符号化データ列を形成する符号化データの復号を、第１の復号系１１にて行っていたとする。この時点での切り替え器１７は、被切替端子Ｓ１側が選ばれている。したがって、表示装置６には、上記第１の復号系１１にて復号された上記スキップ開始点より前の復号データに応じた表示、すなわちスキップ前に蓄積媒体１から読みとられた符号化データを復号した映像が表示されている。このように、当該スキップ開始点より前の時点では、上記読み出し装置２によって蓄積媒体１から読みとられたスキップ開始点より前の符号化データが、トラックバッファ１０を介して第１の復号系１１の復号バッファ１２に読み出された後、復号器１３で復号され、切り替え器１７を介して表示装置６に送られて表示されている。
【００５２】
次に、スキップ編集を行う場合、上記読み出し装置２は、スキップを行う前の符号化データを上記蓄積媒体１から読みとった後、当該蓄積媒体１をランダムアクセスし、当該スキップ直後（スキップ到達点）の第２の符号化データ列を形成する符号化データを上記蓄積媒体１から読み取り、上記スキップ開始点前の符号化データと上記スキップ到達点近辺の符号化データとを、順にトラックバッファ１０に出力する。
【００５３】
ここで、スキップ後のデータとして蓄積媒体１から読み取られる符号化データは、当該スキップ到達点で表示される画像を復号するのに必要な全てのデータを含む。すなわち、上記スキップ到達点のピクチャがピクチャＢ３である上記図２の例を挙げると、読み出し装置２は、当該ピクチャＢ３を復号するのに必要な上記ピクチャＩ０，Ｐ２，Ｐ４に対応する符号化データを、蓄積媒体１から読みとる。より具体的な動作として、読み出し装置２は、蓄積媒体１から上記スキップ到達点のアドレスに対応する記録領域（図２の例ではピクチャＢ３の符号化データが記録された領域）を読みとる際に、当該ピクチャＢ３の復号に必要な上記ピクチャＩ０，Ｐ２，Ｐ４の各符号化データが記録された記録領域をもランダムアクセスによって同時に再生する。
【００５４】
これにより、上記トラックバッファ１０には、少なくとも上記スキップ開始点とスキップ到達点近辺の符号化データが同時に格納されていることになる。すなわち、上記図２の例を用いて説明すると、このときのトラックバッファ１０上には、上記図２のＳａ点にて示すスキップ開始点のＰピクチャの符号化データと図２のＳｂ点にて示すスキップ到達点のＢピクチャ（Ｂ３）の符号化データ及び当該ピクチャＢ３の復号に必要なピクチャＩ０，Ｐ２，Ｐ４の符号化データとが、少なくとも同時に存在することになる。
【００５５】
そして、復号装置５では、通常の編集と同等な効果を上記再生情報を編集することにより行うため、上記再生情報の順に、符号化データを読み出し復号した結果が、時間的に連続して表示される。
【００５６】
次に上記ディジタル信号編集装置の編集動作について説明する。編集時には、直接符号化データではなく記憶装置５にある再生情報が変更される。
【００５７】
この再生情報には、蓄積媒体１上に記録された符号化データが指定地点において、表示開始（終了）されるのに必要な全てのデータが記述されている。例えば、図２のように映像がＭＰＥＧ方式により符号化され光ディスクに記録されていて、Ｓｂ点のピクチャＢ３以降の区間が再生される場合、このピクチャＢ３を復号するのに必要なピクチャの中で、最も早く現れるＩ０ピクチャの記録されているセクタアドレスや、この最も早く現れるＩ０ピクチャの復号開始から再生開始点のＢ３ピクチャが復号されるまでの時間などが、再生区間に関する情報としてＴＯＣエリアに記録されている。以下、上記再生情報をＴＯＣ情報とする。
【００５８】
このＴＯＣ情報を用いた編集の様子を図４を用いて以下に説明する。図４の（ａ）は、編集前の符号化データであり、フレームＦ０からフレームＦ１までの、映像および音声の信号が符号化されていて、これに対するＴＯＣ情報は、初期状態で、フレームＦ０からフレームＦ１まで復号再生するのに必要な情報が記録されている。この状態において、フレームＦ２ｂからフレームＦ３ａまでの区間をスキップするように編集するには、ＴＯＣの情報を、Ｆ０〜Ｆ２ａの再生区間情報と、Ｆ３ｂ〜Ｆ１の再生区間情報で構成すれば良い。このように編集されたＴＯＣ情報に従えば図４の（ｂ）のような再生が可能となり、これは符号化データをスキップ編集したことと等価である。
【００５９】
また、図４の（ｃ）に示すインサート編集のように、図４の（ａ）に示した編集前の映像のフレームＦ２ａとＦ２ｂの間にディスク上の別領域に記録されたフレームＧ０〜Ｇ１からなる符号化データを挿入したいときは、ＴＯＣ情報（初期状態Ｆ０〜Ｆ１の再生が定義されている）を 、Ｆ０〜Ｆ２ａ，Ｇ０〜Ｇ１，Ｆ２ｂ〜Ｆ１が順に再生されるように編集すれば良い。
【００６０】
さらに、差し換え編集の場合には、ＴＯＣ情報の再生区間の定義をＦ０〜Ｆ２ａ，Ｇ０〜Ｇ１、Ｆ３ｂ〜Ｆ１のように行えば、編集後には図４の（ｄ）のように再生されるので、符号化デ ータに対して差し換え編集を行ったときと等価の効果が得られる。
【００６１】
ＴＯＣ情報は変更されると、所定のタイミングで蓄積媒体１上のＴＯＣ情報記憶領域に、書き込み装置７によって書き戻される。
【００６２】
また、このＴＯＣ情報を複数定義することによりつぎのような再生も可能になる。ある符号化データが図５の（ａ）に示すような構造をもっていたとする。ＴＯＣ１にフレームＦ０〜Ｆ１の再生を定義するだけでなく、再生区間がＦ０〜Ｆ２ａ，Ｆ３ｂ〜Ｆ１となるようにＴＯＣ２を、また再生区間がＦ３ｂ〜Ｆ１，Ｆ０〜Ｆ２ａ，Ｆ２ｂ〜Ｆ３ａとなるようにＴＯＣ３を定義して蓄積媒体１に記録しておく。
【００６３】
再生時にこのように３種類定義されたＴＯＣ情報のどれかを選択可能にしておくと、ＴＯＣ１，２，３の選び方によって、それぞれ図５の（ａ），（ｂ），（ｃ）のような経路での再生が可能となる。
【００６４】
このようにすれば、使用者の好みに応じて、共通の符号化データの再生経路を自由に変更することができる。
【００６５】
またこのＴＯＣ情報による映像の編集では直接符号化データの編集を行わないので、再編集・編集の取消しなどが可能である。
【００６６】
ＴＯＣ情報による編集では符号化データは編集されないので、再生されない符号化データの部分も蓄積媒体１上に記録されている。このように再編集で符号化データの一部を再利用しないことが確定している場合には、蓄積媒体１を有効に利用するために、不必要な符号化データの部分を削除することが望まれる。この実施の形態において、必要であれば使用しない符号化データの記録されている領域を再使用（上書き）して、他の符号化データを記録することができる。
【００６７】
なお、上記ＴＯＣ情報に複数の再生区間が定義されているときに、復号装置５は、蓄積媒体１上に論理的に不連続に配置されている符号化データを上記再生情報順に読み込んで、復号された信号を時間的に連続して再生する機能を持つ。
【００６８】
次に、第２実施例となるディジタル信号編集装置について説明する。この第２実施例となるディジタル信号編集装置は、不要な符号化データの記録されている領域を再利用する場合や、編集装置からの出力データが符号化データであったほうが良い場合に、対応するものである。
【００６９】
この第２実施例となるディジタル信号編集装置は、上記図１に示した構成に図図６に示すように符号化装置８を加えたものである。符号化装置８を除いた装置の構成及び動作は上述した通りである。このディジタル信号編集装置は、上記図１に示したディジタル信号編集装置の編集動作に加え、ＴＯＣ情報を用いて再生される復号データを符号化装置８で再符号化し、書き込み装置７により蓄積媒体１に書き戻す。このような再符号化を行えば、再生しない符号化データが蓄積媒体１上で占有している領域を再利用することができるので、蓄積媒体１を有効に使用することができる。
【００７０】
また、このディジタル信号編集装置は、再符号化を行うときは必要な部分に限って動作しても良い。例えば、ＭＰＥＧによる映像の符号化では、ＧＯＰ（Group of Pictures）という構造があり、この単位で符号化が完結している。よって図７のようにＳｃ点まで再生するときには、ＧＯＰ１、ＧＯＰ２の再符号化は必要ない。このような場合はＧＯＰ３から再符号化してもよい。
【００７１】
また、この他のディジタル信号編集装置から符号化されたデータを取り出す場合には、符号化装置８で符号化されたデータ（出力２）をこの編集装置から出力すればよい。この場合、出力１からは復号された信号が、出力２からは符号化された信号が出力されることになる。これは、例えばディジタル放送のセットトップボックスなどに、符号化データを直接供給したいときに使う。この場合、符号化データはすでに編集されたデータが再符号化されているので、受け手側の復号装置（セットトップボックス）は、符号化データの編集を意識する必要がなく、通常のデータとして復号すればよい。
【００７２】
次に第３実施例となるディジタル信号編集装置について説明する。この第３実施例となるディジタル信号編集装置は、従来のノンリニア編集と同じ機能を実現する。
【００７３】
このディジタル信号編集装置は、図８に示すように、ランダムアクセス可能な蓄積媒体２１に対して符号化データを記録再生する記録再生装置２２と、制御装置２３と、表示装置２４とを備えてなる。
【００７４】
記録再生装置２２は、内蔵された蓄積媒体２１に記録された符号化データを、任意の点で接続して時間的に連続に再生することが可能である。制御装置２３は記録再生装置２２との間で制御信号のみのやりとりを行う。
【００７５】
この制御信号は、編集点を決めるための再生の指示（記録再生装置２２に対して、符号化データを復号し、表示装置２４に表示するように指示）や、編集点や再生区間の時間情報などである。
【００７６】
記録再生装置２２は、制御装置２３によって決められた再生区間の時間情報をもとにＴＯＣ情報を編集する。制御装置２３とは制御情報のみやり取りされるので、従来例で必要だった大容量の記憶装置や転送にかかる時間は、この第３実施例では必要ない。
【００７７】
以上説明したように、上記実施の形態となるディジタル信号編集装置によれば、符号化データではなくＴＯＣ情報が編集されることにより、通常の編集装置のように編集した後の符号化データを記録し直す必要がない。
【００７８】
また、これにともない、編集後の符号化データを記録するための符号化装置（ＭＰＥＧで符号化され記録されているときは、この中にＭＰＥＧの符号化器を含む）、および蓄積媒体が必要無くなるだけでなく、書き戻しに要していた時間も生じない。
【００７９】
また、ＴＯＣ情報を複数定義しておけば、同じ映像信号の再生順を自由に選択することができる。不連続に配置されている符号化データを時間的に連続に再生することができる機能をもつ復号装置を使うことにより、ＴＯＣ情報に従って、時間的に不連続になることなく映像信号の再生が可能になる。
【００８０】
さらに、再生開始点の情報を編集し直すだけで、取消し・再編集が容易となる。
【００８１】
また、上記第２実施例のような構成の編集装置では、ＴＯＣ情報に従い読み出されたデータを再符号化し、蓄積媒体に書き戻すことにより、蓄積媒体を有効利用できるとともに、編集装置からの符号化データを出力することができる。
【００８２】
また、上記第３実施例のようなノンリニア編集の場合でも、従来必要だった大容量の記憶装置や、符号化データ（あるいは原信号）の転送にかかる時間が不必要になる。
【００８３】
【発明の効果】
本発明に係るディジタル信号編集装置は、編集した後の編集データを記録し直すことを不要とし、システムの小型化を実現し、かつ編集時間を短縮できる。
【００８４】
本発明に係るディジタル信号編集方法は、編集した後の編集データを記録し直すことを不要とし、システムの小型化を実現し、かつ編集時間を短縮できる。
【図面の簡単な説明】
【図１】本発明に係るディジタル信号編集装置及び方法の実施の形態の、第１実施例のブロック図である。
【図２】上記第１実施例を構成する復号装置の動作を説明するための図である。
【図３】上記復号装置の具体例のブロック図である。
【図４】上記第１実施例が行うＴＯＣ情報を用いた編集を説明するための図である。
【図５】上記ＴＯＣを複数定義したときの上記第１実施例の動作を説明するための図である。
【図６】本発明に係るディジタル信号編集装置及び方法の実施の形態の、第２実施例のブロック図である。
【図７】上記第２実施例の動作を説明するための図である。
【図８】本発明に係るディジタル信号編集装置及び方法の実施の形態の、第３実施例のブロック図である。
【図９】従来のディジタル信号編集装置のブロック図である。
【図１０】従来のノンリニア編集装置のブロック図である。
【図１１】スキップ編集、インサート編集、置き換え編集の定義を説明するための図である。
【図１２】ＭＰＥＧ方式による符号化タイプと予測の方向を説明するための図である。
【符号の説明】
１  蓄積媒体、２  読み出し装置、３  記憶装置、４  制御装置、５  復号装置、６  表示装置、７  書き込み装置
【図１】
0004099547.tif 000002
【図２】
0004099547.tif 000003
【図３】
0004099547.tif 000004
【図４】
0004099547.tif 000005
【図５】
0004099547.tif 000006
【図６】
0004099547.tif 000007
【図７】
0004099547.tif 000008
【図８】
0004099547.tif 000009
【図９】
0004099547.tif 000010
【図１０】
0004099547.tif 000011
【図１１】
0004099547.tif 000012
【図１２】
0004099547.tif 000013